(57)【要約】【課題】人物が向いている方向を検出して、その方向に対応する照明を制御する照明装置を提供する。【解決手段】照明装置１は、人物Ｏ１，Ｏ２が向く方向に対応して予め設置した照明機器２１，２２と、マイクＭＣで入力した人物Ｏ１，Ｏ２の音声の音声レベルが小さいほど人物Ｏ１，Ｏ２が前方を向き、音声レベルが大きいほど人物Ｏ１，Ｏ２が後方を向いていると検出し、調光装置３を介して、当該方向に対応する照明機器２１，２２の調光レベルを予め定めた調光レベルに制御する照明制御装置５と、を備える。【選択図】図２
2017195139.tif 000002
【特許請求の範囲】
【請求項１】
人物が向いている方向に応じて照明機器の調光を制御する照明装置であって、
前記人物が向く方向に対応して予め定めた方向を照明する位置に配置される照明機器と、
前記照明機器を調光する調光装置と、
前記人物の音声または姿勢に基づいて、前記人物が向いている方向を検出し、当該方向に対応する前記照明機器の予め定めた調光レベルを前記調光装置に指示する照明制御装置と、
を備えることを特徴とする照明装置。
【請求項２】
前記照明制御装置は、前記音声に基づいて前記人物を基準として予め定めた第一の方向および第二の方向を検出するものであって、
前記照明制御装置は、前記人物が前記第一の方向を向いているときに入力する音声レベルと前記人物が前記第二の方向を向いているときに入力する音声レベルとに所定のレベル差が生じる位置に配置したマイクで入力した音声レベルに基づいて、前記人物が向いている方向を検出することを特徴とする請求項１に記載の照明装置。
【請求項３】
前記照明制御装置は、前記音声に基づいて複数の人物が向いている方向を検出するものであって、
前記照明制御装置は、前記複数の人物ごとに備えた前記人物の音声を入力する複数のマイクのＯＮ／ＯＦＦの切り替え信号がすべてＯＮである場合に、前記複数の人物がそれぞれ予め定めた方向を向いているとして、前記複数の人物が向いている方向を検出することを特徴とする請求項１に記載の照明装置。
【請求項４】
前記照明制御装置は、前記姿勢に基づいて前記人物が向いている方向を検出するものであって、
前記照明制御装置は、前記人物に備えた前記姿勢の変化を検出するジャイロセンサによって、前記人物が向いている方向を検出することを特徴とする請求項１に記載の照明装置。
【請求項５】
人物が向いている方向に対応して予め定めた方向を照明する位置に配置される照明機器の調光レベルを、調光装置を介して制御する照明制御装置であって、
前記人物の音声または姿勢に基づいて、前記人物が向いている方向を検出する方向検出手段と、
この方向検出手段で検出された前記人物の方向に対応する前記照明機器の予め定めた調光レベルを前記調光装置に指示する調光制御手段と、
を備えることを特徴とする照明制御装置。
【請求項６】
前記方向検出手段は、前記音声に基づいて前記人物を基準として予め定めた第一の方向および第二の方向を検出するものであって、
前記方向検出手段は、前記人物が前記第一の方向を向いているときに入力する音声レベルと前記人物が前記第二の方向を向いているときに入力する音声レベルとに所定のレベル差が生じる位置に配置したマイクで入力した音声レベルに基づいて、前記人物が向いている方向を検出することを特徴とする請求項５に記載の照明制御装置。
【請求項７】
前記方向検出手段は、前記音声に基づいて複数の人物が向いている方向を検出するものであって、
前記方向検出手段は、前記複数の人物ごとに備えた前記人物の音声を入力する複数のマイクのＯＮ／ＯＦＦの切り替え信号がすべてＯＮである場合に、前記複数の人物がそれぞれ予め定めた方向を向いているとして、前記人物が向いている方向を検出することを特徴とする請求項５に記載の照明制御装置。
【請求項８】
前記方向検出手段は、前記姿勢に基づいて前記人物が向いている方向を検出するものであって、
前記方向検出手段は、前記人物に備えた前記姿勢の変化を検出するジャイロセンサによって、前記人物が向いている方向を検出することを特徴とする請求項５に記載の照明制御装置。
【発明の詳細な説明】
【技術分野】
【０００１】
本発明は、照明装置および照明制御装置に関する。
【背景技術】
【０００２】
テレビ番組の制作現場においては、映像に映る出演者を明るくするため、出演者に対して照明を当てることが一般的である。
例えば、ニュース番組等で、アナウンサを正面から撮影する場合、カメラ方向からアナウンサに対して照明を当てている。
また、例えば、アナウンサ以外にゲスト等の対談者がいる場合、アナウンサがゲストを紹介した後、それぞれの対談者（アナウンサ、ゲスト）は、相手の顔を見る方向を向いて話をする。そのとき、カメラマンは、対談者ごとの個別のショットを撮影する場合、それぞれ個別のカメラで対談者が向いている方向から撮影することが一般的である。
このような撮影対象の人数に変化がある場合、音センサが検知した音声から所定空間内の人数を算出し、照明の色や調光度を制御する発明が開示されている（特許文献１参照）。
【先行技術文献】
【特許文献】
【０００３】
【特許文献１】特開２０１５−６０８２８号公報
【発明の概要】
【発明が解決しようとする課題】
【０００４】
従来のように、対談を行っていない状態で、アナウンサを正面から撮影するときの照明を基準とした場合、対談時には、各対談者がそれぞれ相手の方向を向くため、個別のカメラでそれぞれの対談者を正面から撮影した映像は、照明によって対談者に影が生じ、不自然な映像となってしまうという問題ある。
【０００５】
この問題を解決するためには、影となる方向から対談者個別に補助となる照明を当てればよい。しかし、対談前の状態、例えば、アナウンサがスタジオの正面を向いて話をしている状態では、その補助となる照明は逆にアナウンサの片方向を強く照射する不自然な光となってしまう。
このように、人物が向いている方向によって、照明を最適化するには、対談状態であるか否か等の人物が向いている方向を人（照明調整者）が判断し、対談者個別に照射する照明の強さを制御しなければならず、手間がかかってしまう。
【０００６】
また、特許文献１に記載の発明は、所定空間内の人数を算出して、照明の色や調光度を制御することはできても、対談時に１人だけが発話している状態では、対談状態であることを正しく認識することができず、適切に個別の照明を制御することができないという問題がある。
【０００７】
本発明は、このような問題に鑑みてなされたものであり、人物が向いている方向を検出して、照明を制御することが可能な照明装置および照明制御装置を提供することを課題とする。
【課題を解決するための手段】
【０００８】
前記課題を解決するため、本発明に係る照明装置は、人物が向いている方向に応じて照明機器の調光を制御する照明装置であって、照明機器と、調光装置と、照明制御装置と、を備える構成とした。
【０００９】
かかる構成において、照明装置は、人物が向く方向に対応して予め定めた方向を照明する位置に照明機器を配置する。例えば、スタジオ内で人物を複数のカメラで切り替えて撮影する場合に、撮影対象の人物が向く方向によって、切り替えたカメラの映像内で影になる部分を照明する位置に照明機器を配置する。
そして、照明装置は、照明制御装置によって、人物の音声または姿勢に基づいて、人物が向いている方向を検出し、当該方向に対応する照明機器の予め定めた調光レベルを調光装置に指示することで、照明機器の調光を制御する。
【００１０】
例えば、照明制御装置は、人物を基準とした予め定めた第一および第二の方向において、人物が第一の方向を向いているときに入力する音声レベルと人物が第二の方向を向いているときに入力する音声レベルとに所定のレベル差が生じる位置に配置したマイクで入力した音声レベルに基づいて、人物が向いている方向を検出する。
【００１１】
また、例えば、照明制御装置は、複数の人物ごとに備えた人物の音声を入力する複数のマイクのＯＮ／ＯＦＦの切り替え信号がすべてＯＮである場合に、複数の人物がそれぞれ予め定めた方向を向いているとして、複数の人物が向いている方向を検出する。
また、例えば、照明制御装置は、人物に備えた姿勢の変化を検出するジャイロセンサによって、人物が向いている方向を検出する。
これによって、照明装置は、人物が向く方向に連動して、予め定めた調光レベルに照明機器の調光を制御することができる。
【００１２】
また、本発明に係る照明制御装置は、人物が向いている方向に対応して予め定めた方向を照明する位置に配置される照明機器の調光レベルを、調光装置を介して制御する照明制御装置であって、方向検出手段と、調光制御手段と、を備える。
【００１３】
かかる構成において、照明制御装置は、方向検出手段によって、人物の音声または姿勢に基づいて、人物が向いている方向を検出する。
例えば、方向検出手段は、人物を基準とした予め定めた第一および第二の方向において、人物が第一の方向を向いているときに入力する音声レベルと人物が第二の方向を向いているときに入力する音声レベルとに所定のレベル差が生じる位置に配置したマイクで入力した音声レベルに基づいて、人物が向いている方向を検出する。
【００１４】
また、例えば、方向検出手段は、複数の人物ごとに備えた人物の音声を入力する複数のマイクのＯＮ／ＯＦＦの切り替え信号がすべてＯＮである場合に、複数の人物がそれぞれ予め定めた方向を向いているとして、複数の人物が向いている方向を検出する。
また、例えば、方向検出手段は、人物に備えた姿勢の変化を検出するジャイロセンサによって、人物が向いている方向を検出する。
【００１５】
そして、照明制御装置は、調光制御手段によって、方向検出手段で検出された人物の方向に対応する照明機器の予め定めた調光レベルを調光装置に指示することで、照明機器の調光を制御する。
これによって、照明制御装置は、人物が向いている方向に連動して、予め定めた調光レベルに照明機器の調光を制御することができる。
【発明の効果】
【００１６】
本発明は、以下に示す優れた効果を奏するものである。
本発明によれば、人物が向いている方向を検出して、その方向に対して予め対応させている照明機器の調光を制御することができる。
これによって、本発明は、例えば、放送スタジオにおいて、カメラを切り替えて撮影する場合に、人物が向いている方向によっては、他の照明によって影になる部分の照明機器の調光レベルを上げることで、不自然な影の発生を抑えることができる。
【図面の簡単な説明】
【００１７】
【図１】本発明の実施形態に係る照明装置の照明状態を説明するための説明図であって、（ａ）は非対談時の照明状態、（ｂ）は対談時の照明状態を示す平面図である。
【図２】本発明の第１実施形態に係る照明装置の全体構成を示す構成図である。
【図３】本発明の第１実施形態に係る照明装置の動作を示すフローチャートである。
【図４】図３中の方向検出処理の動作を示すフローチャートである。
【図５】本発明の第１実施形態に係る照明装置の制御内容を説明するための説明図であって、（ａ）は非対談時の制御、（ｂ）は対談時の制御を説明するための平面図である。
【図６】本発明の第２実施形態に係る照明装置の全体構成を示す構成図である。
【図７】本発明の第２実施形態に係る照明装置の動作であって、第１実施形態と異なる方向検出処理の動作を示すフローチャートである。
【図８】本発明の第２実施形態に係る照明装置の制御内容を説明するための説明図であって、（ａ）は非対談時の制御、（ｂ）は対談時の制御を説明するための平面図である。
【図９】本発明の第３実施形態に係る照明装置の全体構成を示す構成図である。
【図１０】本発明の第３実施形態に係る照明装置の動作であって、第１実施形態と異なる方向検出処理の動作を示すフローチャートである。
【図１１】本発明の第３実施形態に係る照明装置の制御内容を説明するための説明図であって、（ａ）は非対談時の制御、（ｂ）は対談時の制御を説明するための平面図である。
【図１２】本発明の第４実施形態に係る照明装置の全体構成を示す構成図である。
【発明を実施するための形態】
【００１８】
以下、本発明の実施形態について図面を参照して説明する。
〔照明装置の概要〕
まず、図１を参照して、本発明の実施形態に係る照明装置１の概要について説明する。図１は、テレビ番組を撮影する放送スタジオ内を模式的に示した平面図で、アナウンサＯ１とゲストＯ２とが対談を行う番組を撮影する状態を示している。なお、以下では、アナウンサＯ１とゲストＯ２とを区別しない場合、人物Ｏ１，Ｏ２と表記する。
【００１９】
照明装置１は、照射対象の人物Ｏ１，Ｏ２が向いている方向に基づいて、照明の調光制御（点灯／消灯を含む）を行うものである。なお、図１では、照明装置１として、実際に照明を行う照明機器２（２１，２２）のみを図示し、その詳細は後記する。
【００２０】
図１（ａ）は、対談前の状態で、人物Ｏ１，Ｏ２にスタジオ正面から照明ＲＣが照射され、正面位置に配置されたカメラＣＣが、人物Ｏ１，Ｏ２を撮影している状態を示している。また、図１（ａ）は、人物Ｏ１，Ｏ２が正面のカメラＣＣの方向（以下、正面方向という）を向いた状態を示している。このとき、照明装置１は、カメラＣＣが人物Ｏ１，Ｏ２を撮影する際の不自然な光とならないように、照明機器２１，２２が照射する照明Ｒ１，Ｒ２の調光レベルを弱くあるいは消灯する。
【００２１】
図１（ｂ）は、人物Ｏ１，Ｏ２が対談している状態で、カメラＣ１，Ｃ２が、それぞれ、人物Ｏ１，Ｏ２が向いている方向から撮影している状態を示している。この対談時においては、人物Ｏ１，Ｏ２が、それぞれ対談を行う方向（以下、対談方向という）を向くため、照明ＲＣのみでは、人物Ｏ１，Ｏ２において照明ＲＣによって照射される反対側に影ができる。そこで、照明装置１は、照明機器２１，２２が照射する照明Ｒ１，Ｒ２の調光レベルを、照明ＲＣと同程度に強くする。
これによって、対談時において、カメラＣ１，Ｃ２が撮影する人物Ｏ１，Ｏ２の映像には、不自然な影が発生しないことになる。
以下、本発明の実施形態における人物が向いている方向を検出して、照明を制御することが可能な照明装置の構成および動作について説明する。
【００２２】
≪第１実施形態≫
〔照明装置の構成〕
最初に、図２を参照（適宜図１参照）して、本発明の第１実施形態に係る照明装置１の構成について説明する。図２に示すように、照明装置１は、照明機器２と、調光装置３と、方向検出用信号生成装置４と、照明制御装置５と、を備える。
【００２３】
照明機器２は、照明対象の人物Ｏ１，Ｏ２に対して光を照射するものである。
この照明機器２（２１，２２）は、スタジオ内で、人物Ｏ１，Ｏ２がスタジオ正面からの照明ＲＣに対して、対談時に影となる部分を照明する位置にそれぞれ配置される。
また、照明機器２は、調光装置３によって調光が制御された光を照射する。なお、照明機器２の調光方式は、特に限定されず、位相制御方式、ＰＷＭ（Pulse Width Modulation）制御方式等、一般的な調光方式を採用することができる。
【００２４】
調光装置３は、照明機器２（２１，２２）の調光を制御するものである。この調光装置３は、照明制御装置５から出力される調光レベルに基づいて、照明機器２の調光を制御する。例えば、照明機器２の調光方式が位相制御方式である場合、調光装置３は、照明機器２のＡＣ電源正弦波形を、照明制御装置５から出力される調光レベルの度合いに応じてＯＮ／ＯＦＦすればよい。また、例えば、照明機器２の調光方式がＰＷＭ制御方式である場合、調光装置３は、照明機器２に入力されるＰＷＭ信号のデューティ比を、照明制御装置５から出力される調光レベルの度合いに応じて変えればよい。
【００２５】
方向検出用信号生成装置４は、人物Ｏ１，Ｏ２が向いている方向を検出するための判断材料となる方向検出用信号を生成するものである。ここでは、方向検出用信号生成装置４は、指向性のマイクＭＣであって、入力した音声から、音声信号を方向検出用信号として生成する。ここで、マイクＭＣは、人物Ｏ１，Ｏ２の後方に配置される。なお、マイクＭＣは、正面からのカメラＣＣに撮影されないように、下方あるいは上方に配置されることが好ましい。
【００２６】
このマイクＭＣを、人物Ｏ１，Ｏ２の後方に離間して配置することで、人物Ｏ１，Ｏ２が前方を向いて話をするほど、音声レベルが小さくなる。すなわち、人物Ｏ１，Ｏ２がカメラＣＣに対して正面方向を向いて話をしている場合（非対談状態）に比べて、人物Ｏ１，Ｏ２が対談方向を向いて話をしている場合（対談状態）には、音声レベルが大きくなる。
このように、方向検出用信号生成装置４であるマイクＭＣが生成する音声信号は、その音声レベルによって、人物Ｏ１，Ｏ２が向いている方向を検出するための材料（方向検出用信号）となる。
この方向検出用信号生成装置４は、生成した音声信号（方向検出用信号）を照明制御装置５に出力する。
【００２７】
なお、マイクＭＣは、必ずしも人物Ｏ１，Ｏ２の後方に配置する必要はない。すなわち、マイクＭＣは、予め定めた２つの方向（正面方向、対談方向）において、人物Ｏ１，Ｏ２が正面方向（第一の方向）を向いているときに入力する音声レベルと対談方向（第二の方向）を向いているときに入力する音声レベルとに所定のレベル差が生じる位置に配置されればよい。
【００２８】
照明制御装置５は、方向検出用信号生成装置４から入力される方向検出用信号に基づいて、調光装置３を介して、照明機器２の調光レベルを制御するものである。この照明制御装置５は、方向検出手段５０と、調光制御手段５１と、を備える。
【００２９】
方向検出手段５０は、方向検出用信号生成装置４から入力される方向検出用信号に基づいて、人物Ｏ１，Ｏ２が向いている方向を検出するものである。
ここでは、方向検出用信号生成装置４がマイクＭＣであって、方向検出手段５０は、マイクＭＣから入力した音声信号のレベル（音声レベル）によって、人物Ｏ１，Ｏ２が向いている方向を検出する。
【００３０】
すなわち、方向検出手段５０は、音声レベルの大きさが予め定めた閾値よりも小さい場合、人物Ｏ１，Ｏ２が向いている方向が照明ＲＣの照射方向（正面方向）であると検出する。また、方向検出手段５０は、音声レベルの大きさが予め定めた閾値以上である場合、人物Ｏ１，Ｏ２が向いている方向が対談を行う方向である（対談方向）と検出する。
なお、この閾値は、図示を省略したキーボード等の入力装置を介して設定される。その閾値は、マイクＭＣの機種、設置位置等によって変わるため、事前のリハーサルによって、予め調整した閾値を設定すればよい。
この方向検出手段５０は、検出結果である人物Ｏ１，Ｏ２が向いている方向（正面方向または対談方向）を示す信号を調光制御手段５１に出力する。
【００３１】
調光制御手段５１は、方向検出手段５０で検出される人物Ｏ１，Ｏ２が向いている方向に基づいて、調光装置３に出力する調光レベルを制御するものである。
具体的には、調光制御手段５１は、人物Ｏ１，Ｏ２が向いている方向が、照明ＲＣの照射方向（正面方向）か、対談を行う方向（対談方向）かに基づいて、異なる調光レベルを調光装置３に出力（指示）する。
【００３２】
ここでは、調光制御手段５１は、人物Ｏ１，Ｏ２が正面方向を向いている状態（非対談状態）において、調光レベルを「０％」等の明るさが弱いレベルとし、対談方向を向いている状態（対談状態）において、調光レベルを「１００％」等の明るさが強いレベルとする。
なお、調光レベルの強弱のレベルは、図示を省略したキーボード等の入力装置を介して設定される。この調光レベルの強弱のレベルは、スタジオにおける対談時と非対談時のカメラリハーサルにおいて、不自然な影が発生しないように、予め調整したレベルを設定すればよい。
【００３３】
また、調光制御手段５１は、現状態の調光レベルが明るい（強）状態で、方向検出手段５０から、人物Ｏ１，Ｏ２が向いている方向が正面方向（非対談状態）であることを示す信号を入力した場合、予め定めた時間（切り替え判定時間）経過後に調光レベルを下げることとする。これによって、照明装置１は、対談者の会話が一時的にストップした場合でも、人物Ｏ１，Ｏ２に対する照明の調光レベルを維持することができる。
なお、調光制御手段５１は、調光装置３に出力した照明機器２１，２２の調光レベルを現状態として、図示を省略した記憶手段に記憶しておく。
また、調光レベルの初期値は、図示を省略した入力装置を介して予め設定される。また、切り替え判定時間も、図示を省略した入力装置を介して設定される。
【００３４】
また、調光制御手段５１は、調光レベルを変化させる場合、すなわち、弱から強、あるいは、強から弱に変化させる場合、予め設定された時間範囲（フェードイン時間、フェードアウト時間）で段階的に調光レベルを変化させることとする。これによって、照明装置１は、不自然な照明の強度の切り替えを防止することができる。
なお、フェードイン時間およびフェードアウト時間は、図示を省略した入力装置を介して設定される。
【００３５】
以上説明したように照明装置１を構成することで、照明装置１は、人手を介さずに、照明の調光制御を行うことができる。また、照明装置１は、人物Ｏ１，Ｏ２が対談状態であるか否かを検出して、照明機器２１，２２が照射する強度を調整することができる。これによって、照明装置１は、人手を介さずに、人物Ｏ１，Ｏ２がカメラに映ったときに不自然な影が生じないように制御することができる。
【００３６】
〔照明装置の動作〕
次に、図３，図４を参照（構成については、適宜図１，図２参照）して、本発明の第１実施形態に係る照明装置１の動作について説明する。
図３に示すように、まず、照明装置１は、照明制御装置５の方向検出手段５０によって、人物Ｏ１，Ｏ２が向いている方向を検出する（ステップＳ１）。
【００３７】
具体的には、図４に示すように、方向検出手段５０は、方向検出用信号生成装置４であるマイクＭＣから入力される音声信号の音声レベルが予め定めた閾値以上であるか否かを判定する（ステップＳ１０）。
そして、音声レベルが予め定めた閾値以上である場合（ステップＳ１０でＹｅｓ）、方向検出手段５０は、人物Ｏ１，Ｏ２が向いている方向を、対談方向と特定する（ステップＳ１１）。一方、音声レベルが予め定めた閾値未満である場合（ステップＳ１０でＮｏ）、方向検出手段５０は、人物Ｏ１，Ｏ２が向いている方向を、正面方向と特定する（ステップＳ１２）。この検出結果は、調光制御手段５１に出力される。
【００３８】
そして、図３に示すように、ステップＳ１で検出した人物Ｏ１，Ｏ２が向いている方向が正面方向の場合（ステップＳ２で「正面方向」）、照明制御装置５の調光制御手段５１は、照明機器２１，２２の調光レベルを弱に調整する。
すなわち、人物Ｏ１，Ｏ２が向いている方向が正面方向のとき、照明機器２１，２２の調光レベルが予め定めた強いレベルである場合（ステップＳ３で「強」）、調光制御手段５１は、予め定めた弱いレベルの調光レベルを調光装置３に出力する（ステップＳ４）。なお、照明機器２１，２２の明るさが予め定めた弱いレベルである場合（ステップＳ３で「弱」）、調光制御手段５１は、調光レベルの変更を行わない。
【００３９】
一方、ステップＳ１で検出した人物Ｏ１，Ｏ２が向いている方向が対談方向の場合（ステップＳ２で「対談方向」）、照明制御装置５の調光制御手段５１は、照明機器２１，２２の調光レベルを強に調整する。
すなわち、人物Ｏ１，Ｏ２が向いている方向が対談方向のとき、照明機器２１，２２の調光レベルが予め定めた弱いレベルである場合（ステップＳ５で「弱」）、調光制御手段５１は、予め定めた強いレベルの調光レベルを調光装置３に出力する（ステップＳ６）。なお、照明機器２１，２２の調光レベルが予め定めた強いレベルである場合（ステップＳ５で「強」）、調光制御手段５１は、調光レベルの変更を行わない。
そして、照明装置１は、以上説明したステップＳ１〜Ｓ６の動作を繰り返し実行する。
【００４０】
以上説明した動作を行うことで、図５（ａ）に示すように、照明装置１は、音声レベルが閾値Ｔｈより小さければ、人物Ｏ１，Ｏ２が向いている方向が正面方向であると検出して、照明機器２１，２２の照明Ｒ１，Ｒ２の調光レベルを弱くする（あるいは消灯する）。これによって、カメラＣＣ（図１）から人物Ｏ１，Ｏ２を撮影した場合に、照明Ｒ１，Ｒ２の影響を抑えることができる。
【００４１】
また、図５（ｂ）に示すように、照明装置１は、音声レベルが閾値Ｔｈ以上であれば、人物Ｏ１，Ｏ２が向いている方向が対談方向であると検出して、照明機器２１，２２の照明Ｒ１，Ｒ２の調光レベルを強くする。これによって、カメラＣ１，Ｃ２（図１）から人物Ｏ１，Ｏ２を撮影した場合に、照明ＲＣ（図１）によって発生する影を抑えることができる。
【００４２】
≪第２実施形態≫
〔照明装置の構成〕
次に、図６を参照（適宜図１参照）して、本発明の第２実施形態に係る照明装置１Ｂの構成について説明する。図６に示すように、照明装置１Ｂは、照明機器２と、調光装置３と、方向検出用信号生成装置４Ｂと、照明制御装置５Ｂと、を備える。照明機器２および調光装置３は、図２で説明した照明装置１の構成と同じものであるため、説明を省略する。
【００４３】
方向検出用信号生成装置４Ｂは、人物Ｏ１，Ｏ２が向いている方向を検出するための判断材料となる方向検出用信号を生成するものである。ここでは、方向検出用信号生成装置４Ｂは、マイクＭ１，Ｍ２と、音声卓ＭＸと、を備える。
【００４４】
マイクＭ１，Ｍ２は、人物Ｏ１，Ｏ２の音声を入力するものである。このマイクＭ１，Ｍ２は、一般的なマイクで、スタンドマイクであっても、ピンマイクであっても構わない。このマイクＭ１，Ｍ２は、入力した音声を音声信号として音声卓ＭＸに出力する。なお、マイクＭ１，Ｍ２と音声卓ＭＸとの間に、個々のマイクＭ１，Ｍ２を個別にＯＮ／ＯＦＦ制御するフェーダユニットＦＵを挿入することとしてもよい。図６では、アナウンサＯ１のマイクＭ１にのみフェーダユニットＦＵを挿入した例を示している。
【００４５】
音声卓ＭＸは、マイクＭ１，Ｍ２のＯＮ／ＯＦＦを制御するものである。この音声卓ＭＸは、スタジオフロア外の調整室等に設置される。
ここでは、音声卓ＭＸは、マイクＭ１，Ｍ２から入力される音声を個別にＯＮ／ＯＦＦされた状態を示す切り替え信号を、人物Ｏ１，Ｏ２が向いている方向を検出するための方向検出用信号とする。なお、切り替え信号“ＯＦＦ”は、音声レベルが“０”の状態を示し、切り替え信号“ＯＮ”は、音声レベルが“０”よりも大きい状態を示す。この切り替え信号は、調整者によって、個々のマイクＭ１，Ｍ２に対応するフェーダＦを操作させることで制御される。
【００４６】
ここで、人物Ｏ１，Ｏ２が対談している場合、マイクＭ１，Ｍ２がすべて“ＯＮ”となる。また、例えば、アナウンサＯ１のマイクＭ１のみが“ＯＮ”であれば、対談を行っていないことになる。
このように、方向検出用信号生成装置４Ｂを構成する音声卓ＭＸが保持しているマイクＭ１，Ｍ２のＯＮ／ＯＦＦ状態は、人物Ｏ１，Ｏ２が向いている方向を検出するための材料（方向検出用信号）となる。
【００４７】
なお、音声卓ＭＸでマイクＭ１，Ｍ２のＯＮ／ＯＦＦを制御する以外に、特にアナウンサＯ１のマイクＭ１には、スタジオ内での指示や確認のための声出し、咳払い等が放送に入るのを防ぐため、自らのタイミングでマイクＭ１をＯＮ／ＯＦＦできるフェーダユニットＦＵが設置されることが多い。このフェーダユニットＦＵのステータスは、音声卓ＭＸで監視、制御することができる。例えば、音声卓ＭＸは、強制的にフェーダユニットＦＵをＯＮにしたり、フェーダユニットＦＵがＯＮの状態でもマイクＭ１をミュートしたりすることができる。
すなわち、マイクＭ１，Ｍ２のＯＮ／ＯＦＦの状態は、すべて音声卓ＭＸのステータスとして取得することができる。
この音声卓ＭＸは、マイクＭ１，Ｍ２のＯＮ／ＯＦＦの状態を示す切り替え信号を方向検出用信号として照明制御装置５Ｂに出力する。
【００４８】
照明制御装置５Ｂは、方向検出用信号生成装置４Ｂから入力される方向検出用信号に基づいて、照明機器２の調光レベルを制御するものである。この照明制御装置５Ｂは、方向検出手段５０Ｂと、調光制御手段５１と、を備える。調光制御手段５１は、図２で説明した照明装置１の構成と同じものであるため、説明を省略する。
【００４９】
方向検出手段５０Ｂは、方向検出用信号生成装置４Ｂを構成する音声卓ＭＸから入力される方向検出用信号に基づいて、人物Ｏ１，Ｏ２が向いている方向を検出するものである。
ここでは、方向検出手段５０Ｂは、音声卓ＭＸから入力したマイクＭ１，Ｍ２の方向検出用信号によって、人物Ｏ１，Ｏ２が向いている方向を検出する。
【００５０】
すなわち、方向検出手段５０Ｂは、音声卓ＭＸから入力したマイクＭ１，Ｍ２の切り替え信号によって、マイクＭ１，Ｍ２が１つでもＯＦＦであれば、人物Ｏ１，Ｏ２が向いている方向が照明ＲＣの照射方向（正面方向）であると検出する。また、方向検出手段５０Ｂは、マイクＭ１，Ｍ２がすべてＯＮであれば、人物Ｏ１，Ｏ２が向いている方向が対談を行う方向（対談方向）であると検出する。
この方向検出手段５０Ｂは、検出結果である人物Ｏ１，Ｏ２が向いている方向（正面方向または対談方向）を示す信号を調光制御手段５１に出力する。
【００５１】
以上説明したように照明装置１Ｂを構成することで、照明装置１Ｂは、照明装置１（図２）と同様に、人手を介さずに、照明の調光制御を行うことができる。また、照明装置１Ｂは、人物Ｏ１，Ｏ２がカメラに映ったときに不自然な影が生じないように、照明機器２１，２２が照射する強度を調整することができる。
【００５２】
〔照明装置の動作〕
次に、図３，図７を参照（構成については、適宜図１，図６参照）して、本発明の第２実施形態に係る照明装置１Ｂの動作について説明する。
なお、照明装置１Ｂの動作は、図３で説明した照明装置１の動作のうちで、ステップＳ１の動作のみが異なっている（ステップＳ１Ｂ）。よって、ここでは、ステップＳ１Ｂの動作のみを説明し、ステップＳ２以降の説明は省略する。
【００５３】
照明装置１Ｂは、照明制御装置５Ｂの方向検出手段５０Ｂによって、人物Ｏ１，Ｏ２が向いている方向を検出する（ステップＳ１Ｂ）。
具体的には、図７に示すように、方向検出手段５０Ｂは、方向検出用信号生成装置４Ｂを構成する音声卓ＭＸから入力される方向検出用信号（切り替え信号）によって、すべてのマイクＭ１，Ｍ２がＯＮであるか否かを判定する（ステップＳ１０Ｂ）。
【００５４】
そして、すべてのマイクＭ１，Ｍ２がＯＮである場合（ステップＳ１０ＢでＹｅｓ）、方向検出手段５０Ｂは、人物Ｏ１，Ｏ２が向いている方向を、対談方向と特定する（ステップＳ１１）。一方、１つでもマイクＭ１，Ｍ２がＯＦＦである場合（ステップＳ１０ＢでＮｏ）、方向検出手段５０Ｂは、人物Ｏ１，Ｏ２が向いている方向を、正面方向と特定する（ステップＳ１２）。この検出結果は、調光制御手段５１に出力される。
そして、照明装置１Ｂは、図３で説明したステップＳ２以降の動作を行う。
そして、照明装置１Ｂは、以上説明した動作を繰り返し実行する。
【００５５】
以上説明した動作を行うことで、図８（ａ）に示すように、照明装置１Ｂは、マイクＭ１，Ｍ２の１つでもＯＦＦであれば、人物Ｏ１，Ｏ２が向いている方向が正面方向であると検出して、照明機器２１，２２の照明Ｒ１，Ｒ２の調光レベルを弱くする（あるいは消灯する）。これによって、カメラＣＣ（図１）から人物Ｏ１，Ｏ２を撮影した場合に、照明Ｒ１，Ｒ２の影響を抑えることができる。
【００５６】
また、図８（ｂ）に示すように、照明装置１Ｂは、すべてのマイクＭ１，Ｍ２がＯＮであれば、人物Ｏ１，Ｏ２が向いている方向が対談方向であると検出して、照明機器２１，２２の照明Ｒ１，Ｒ２の調光レベルを強くする。これによって、カメラＣ１，Ｃ２（図１）から人物Ｏ１，Ｏ２を撮影した場合に、照明ＲＣ（図１）によって発生する影を抑えることができる。
【００５７】
≪第３実施形態≫
〔照明装置の構成〕
次に、図９を参照（適宜図１参照）して、本発明の第３実施形態に係る照明装置１Ｃの構成について説明する。図９に示すように、照明装置１Ｃは、照明機器２と、調光装置３と、方向検出用信号生成装置４Ｃと、照明制御装置５Ｃと、を備える。照明機器２および調光装置３は、図２で説明した照明装置１の構成と同じものであるため、説明を省略する。
【００５８】
方向検出用信号生成装置４Ｃは、人物Ｏ１，Ｏ２が向いている方向を検出するための判断材料となる方向検出用信号を生成するものである。ここでは、方向検出用信号生成装置４Ｃは、ジャイロセンサＧであって、検出した角速度を方向検出用信号（角速度情報）として生成する。このジャイロセンサＧは、例えば、クリップＣ等の固定器具によって、人物Ｏ１，Ｏ２の衣服に装着しておく。図９では、アナウンサＯ１にジャイロセンサＧを装着した状態を示している。なお、ジャイロセンサＧは、人物Ｏ１，Ｏ２が向いている方向を検出できれば、どの場所に装着してもよく、例えば、人物Ｏ１，Ｏ２が座る回転式のいす（不図示）に取り付けてもよいし、人物Ｏ１，Ｏ２に装着するピンマイク（不図示）と一体化して取り付けてもよい。
【００５９】
このジャイロセンサＧが生成する角速度情報は、その情報に含まれる角速度を積分することで、人物Ｏ１，Ｏ２が向いている方向（姿勢）を角度として求めることができる。
このように、方向検出用信号生成装置４ＣであるジャイロセンサＧが生成する角速度情報は、人物Ｏ１，Ｏ２が向いている方向を検出するための材料（方向検出用信号）となる。
この方向検出用信号生成装置４Ｃは、生成した角速度情報（方向検出用信号）を照明制御装置５Ｃに出力する。
【００６０】
照明制御装置５Ｃは、方向検出用信号生成装置４Ｃから入力される方向検出用信号に基づいて、照明機器２の調光レベルを制御するものである。この照明制御装置５Ｃは、方向検出手段５０Ｃと、調光制御手段５１と、を備える。調光制御手段５１は、図２で説明した照明装置１の構成と同じものであるため、説明を省略する。
【００６１】
方向検出手段５０Ｃは、方向検出用信号生成装置４Ｃから入力される方向検出用信号に基づいて、人物Ｏ１，Ｏ２が向いている方向を検出するものである。
ここでは、方向検出用信号生成装置４ＣがジャイロセンサＧであって、方向検出手段５０Ｃは、ジャイロセンサＧから入力した角速度情報に含まれる角速度を積分し、予め定めた方向（正面方向）を基準とした角度（ここでは、絶対値とする）を求め、人物Ｏ１，Ｏ２が向いている方向を検出する。
【００６２】
すなわち、方向検出手段５０Ｃは、ジャイロセンサＧが検出した角速度から求めた角度が、正面方向に対して予め定めた閾値（例えば、３０度）未満であれば、人物Ｏ１，Ｏ２が向いている方向が照明ＲＣの照射方向（正面方向）であると検出する。また、方向検出手段５０Ｃは、求めた角度が、正面方向に対して閾値（例えば、３０度）以上であれば、人物Ｏ１，Ｏ２が向いている方向が対談を行う方向（対談方向）であると検出する。
なお、この閾値は、ジャイロセンサＧの取り付け位置、人物Ｏ１，Ｏ２の配置等によっても変わるため、事前のリハーサルにより求め、図示を省略した入力装置を介して予め設定されるものとする。
この方向検出手段５０Ｃは、検出結果である人物Ｏ１，Ｏ２が向いている方向（正面方向または対談方向）を示す信号を調光制御手段５１に出力する。
【００６３】
なお、ここでは、アナウンサＯ１のみにジャイロセンサＧを装着した例を示したが、ゲストＯ２のみ、あるいは、アナウンサＯ１とゲストＯ２の両方にジャイロセンサＧを装着してもよい。アナウンサＯ１とゲストＯ２の両方にジャイロセンサＧを装着する場合、方向検出手段５０Ｃは、それぞれのジャイロセンサＧが検出した角速度から角度を求め、両方の角度が共に閾値以上である場合にのみ、人物Ｏ１，Ｏ２が向いている方向が対談方向であると検出することとすればよい。
【００６４】
以上説明したように照明装置１Ｃを構成することで、照明装置１Ｃは、照明装置１（図２）と同様に、人手を介さずに、照明の調光制御を行うことができる。また、照明装置１Ｃは、人物Ｏ１，Ｏ２がカメラに映ったときに不自然な影が生じないように、照明機器２１，２２が照射する強度を調整することができる。
【００６５】
〔照明装置の動作〕
次に、図３，図１０を参照（構成については、適宜図１，図９参照）して、本発明の第３実施形態に係る照明装置１Ｃの動作について説明する。
なお、照明装置１Ｃの動作は、図３で説明した照明装置１の動作のうちで、ステップＳ１の動作のみが異なっている（ステップＳ１Ｃ）。よって、ここでは、ステップＳ１Ｃの動作のみを説明し、ステップＳ２以降の説明は省略する。
【００６６】
照明装置１Ｃは、照明制御装置５Ｃの方向検出手段５０Ｃによって、人物Ｏ１，Ｏ２が向いている方向を検出する（ステップＳ１Ｃ）。
具体的には、図１０に示すように、方向検出手段５０Ｃは、方向検出用信号生成装置４ＣであるジャイロセンサＧから入力される方向検出用信号（角速度情報）によって、角速度を積分して正面方向に対するずれ角度を求める（ステップＳ１０Ｃ１）。
そして、方向検出手段５０Ｃは、ステップＳ１０Ｃ１で求めたずれ角度と、予め定めた閾値とを比較し、ずれ角度が閾値以上であるか否かを検出する（ステップＳ１０Ｃ２）。
【００６７】
そして、ずれ角度が閾値以上である場合（ステップＳ１０Ｃ２でＹｅｓ）、方向検出手段５０Ｃは、人物Ｏ１，Ｏ２が向いている方向を、対談方向と特定する（ステップＳ１１）。一方、ずれ角度が閾値未満である場合（ステップＳ１０Ｃ２でＮｏ）、方向検出手段５０Ｃは、人物Ｏ１，Ｏ２が向いている方向を、正面方向と特定する（ステップＳ１２）。この検出結果は、調光制御手段５１に出力される。
そして、照明装置１Ｃは、図３で説明したステップＳ２以降の動作を行う。
そして、照明装置１Ｃは、以上説明した動作を繰り返し実行する。
【００６８】
以上説明した動作を行うことで、図１１（ａ）に示すように、照明装置１Ｃは、ジャイロセンサＧから求められる角度が、スタジオ正面（基準角度：０度）に対して、閾値（例えば、３０度）未満であれば、人物Ｏ１，Ｏ２が向いている方向が正面方向であると検出して、照明機器２１，２２の照明Ｒ１，Ｒ２の調光レベルを弱くする（あるいは消灯する）。これによって、カメラＣＣ（図１）から人物Ｏ１，Ｏ２を撮影した場合に、照明Ｒ１，Ｒ２の影響を抑えることができる。
【００６９】
また、図１１（ｂ）に示すように、照明装置１Ｃは、ジャイロセンサＧから求められる角度が、スタジオ正面（基準角度：０度）に対して、閾値（例えば、３０度）以上であれば、人物Ｏ１，Ｏ２が向いている方向が対談方向であると検出して、照明機器２１，２２の照明Ｒ１，Ｒ２の調光レベルを強くする。これによって、カメラＣ１，Ｃ２（図１）から人物Ｏ１，Ｏ２を撮影した場合に、照明ＲＣ（図１）によって発生する影を抑えることができる。
【００７０】
≪変形例≫
以上、本発明の実施形態（第１〜第３実施形態）について説明したが、本発明はこれらの実施形態に限定されるものではない。例えば、第１〜第３実施形態を２つ以上組み合わせてもよい。
【００７１】
図１２に、第１〜第３実施形態の３つの形態を組み合わせた例を第４実施形態として示す。図１２に示したように、方向検出用信号生成装置４Ｄとして、マイクＭＣ（第１実施形態）、マイクＭ１，Ｍ２および音声卓ＭＸ（第２実施形態）、ジャイロセンサＧ（第３実施形態）を備える構成とした場合、方向検出手段５０Ｄが、それらの方向検出用信号から、人物Ｏ１，Ｏ２が向いている方向を検出する。
【００７２】
例えば、方向検出手段５０Ｄは、マイクＭＣから入力した音声信号の音声レベルが閾値以上（条件＜１＞）、マイクＭ１，Ｍ２がすべてＯＮ状態（条件＜２＞）、ジャイロセンサＧが検出した角速度から求めた角度が閾値以上（条件＜３＞）について、少なくとも１つの条件が成立する場合に、人物Ｏ１，Ｏ２が向いている方向が対談を行う方向（対談方向）であると検出する。これによって、対談状態を最も早く検出したタイミングで、照明を制御することができる。
なお、方向検出手段５０Ｄは、条件＜１＞〜条件＜３＞のすべてが成立することで、人物Ｏ１，Ｏ２が向いている方向が対談方向であると検出することとしてもよい。これによって、方向検出手段５０Ｄは、より厳密に対談状態を検出することができる。
【００７３】
また、ここでは、照明装置１，１Ｂ，１Ｃ，１Ｄが、スタジオで、２人の人物Ｏ１，Ｏ２に対する照明機器２１，２２の調光レベルを制御する例を示した。しかし、その対象となる人物は、３人以上であっても構わない。また、例えば、照明装置１，１Ｃの方向検出用信号生成装置４，４Ｃを用いる場合、人物が１人であっても構わない。
【００７４】
また、ここでは、人物が向いている方向を正面方向と対談方向の２つの方向としたが、照明装置１，１Ｃの方向検出用信号生成装置４，４Ｃを用いる場合、音声や姿勢に応じて、人物が向いている方向を予め複数に区分して、その方向ごとに個別の照明機器２の調光を制御することとしてもよい。
【００７５】
また、ここでは、照明装置１，１Ｂ，１Ｃ，１Ｄが、人物が向いている方向によって、その人物そのものに対する照明の調光レベルを制御することとした。しかし、人物が見る対象に対して、照明を当てて調光レベルを制御することとしてもよい。例えば、照明装置１，１Ｂ，１Ｃ，１Ｄは、照明機器２１，２２を、それぞれ、予め人物が見る対象に合わせて設置しておき、人物がその対象を見る方向を向いたときに、その対象を照射する照明機器２１，２２の調光レベルを上げる。これによって、スタジオ内等の室内の照明が暗い状態であっても、人物が見る対象を明るく照らすことが可能になる。
【符号の説明】
【００７６】
１      照明装置
２      照明機器
３      調光装置
４      方向検出用信号生成装置
５      照明制御装置
５０    方向検出手段
５１    調光制御手段
ＭＣ，Ｍ１，Ｍ２  マイク
ＭＸ    音声卓
Ｇ      ジャイロセンサ
【図１】
2017195139.tif 000003
【図２】
2017195139.tif 000004
【図３】
2017195139.tif 000005
【図４】
2017195139.tif 000006
【図５】
2017195139.tif 000007
【図６】
2017195139.tif 000008
【図７】
2017195139.tif 000009
【図８】
2017195139.tif 000010
【図９】
2017195139.tif 000011
【図１０】
2017195139.tif 000012
【図１１】
2017195139.tif 000013
【図１２】
2017195139.tif 000014